(57)【要約】【課題】  対物レンズの消毒を、簡易に、かつ、対物レンズの先端に過大な外力がかからないように保護しながら行う。【解決手段】  対物レンズ２の少なくとも先端の表面に接触させられるとともに、対物レンズ２に対して相対移動可能に配置され、対物レンズ２の表面を拭き取る拭取部材３と、該拭取部材３を対物レンズ２に対して位置決めする位置決め手段４とを備える対物レンズ清掃具を提供する。【選択図】    図１
2006297352.tif 000002
【特許請求の範囲】
【請求項１】
対物レンズの少なくとも先端の表面に接触させられるとともに、対物レンズに対して相対移動可能に配置され、対物レンズの表面を拭き取る拭取部材と、
該拭取部材を前記対物レンズに対して位置決めする位置決め手段とを備える対物レンズ清掃具。
【請求項２】
前記拭取部材が、消毒液または洗浄液を含浸したスポンジからなる請求項１に記載の対物レンズ清掃具。
【請求項３】
前記拭取部材が、対物レンズの周方向に隣接して配置可能な複数の拭取片からなり、
各拭取片を支持する支持部材と、該支持部材を揺動可能に連結するヒンジ部材とを備える請求項１または請求項２に記載の対物レンズ清掃具。
【請求項４】
前記位置決め手段が、前記拭取片に設けられ、前記対物レンズの外形と略相補的であってかつ対物レンズの外径寸法より若干小さい内径寸法を有する凹部からなる請求項１から請求項３のいずれかに記載の対物レンズ清掃具。
【請求項５】
前記位置決め手段が、対物レンズまたは対物レンズを取り付けた顕微鏡本体に固定され、対物レンズの軸線を中心とするリング状のガイド部を備える固定部と、該固定部のガイド部に相対回転可能に嵌合される可動部とを備え、
前記拭取部材が前記可動部に取り付けられている請求項１に記載の対物レンズ清掃具。
【発明の詳細な説明】
【技術分野】
【０００１】
本発明は、対物レンズの外面を清掃する対物レンズ清掃具に関するものである。
【背景技術】
【０００２】
従来、液浸対物レンズのように、対物レンズの先端面をイマージョンオイル等に接触させた状態で観察を行う場合には、使用後に、レンズ先端に付着しているイマージョンオイルをエーテルとアルコールの７：３混合液またはＥＥ−６３１０を極少量ガーゼに含ませて入念に拭き取ることが行われている（例えば、非特許文献１参照。）。
【非特許文献１】オリンパス光学工業株式会社、「取扱説明書ＢＸ５１／ＢＸ５２システム生物顕微鏡」、平成１２年６月、ｐ．２０
【発明の開示】
【発明が解決しようとする課題】
【０００３】
しかしながら、生体を生きたままの状態で観察する顕微鏡装置の場合には、対物レンズの先端を生体内に挿入して観察する必要がある。このため、観察前後には、対物レンズはその先端面のみならず、先端部を含む広い範囲にわたって清掃する必要がある。
また、少ない侵襲で生体を観察するために対物レンズの先端を細径に構成すると、外力に対する剛性が低下するため、搬送時、保管時、消毒あるいは滅菌処理時または取扱時等に細径の先端部に外力がかからないように保護する必要もある。
【０００４】
本発明は上述した事情に鑑みてなされたものであって、対物レンズの清掃を簡易に行うことができるとともに、搬送時、保管時あるいは取扱時等に対物レンズを保護することができる対物レンズ清掃具を提供することを目的としている。
【課題を解決するための手段】
【０００５】
上記目的を達成するために、本発明は、以下の手段を提供する。
本発明は、対物レンズの少なくとも先端の表面に接触させられるとともに、対物レンズに対して相対移動可能に配置され、対物レンズの表面を拭き取る拭取部材と、該拭取部材を前記対物レンズに対して位置決めする位置決め手段とを備える対物レンズ清掃具を提供する。
【０００６】
本発明によれば、位置決め手段の作動により対物レンズに対して拭取部材が位置決めされる。この状態で、拭取部材を対物レンズに対して相対的に移動させることにより、拭取部材と対物レンズ外面との相対位置関係が維持されたまま拭取部材によって対物レンズの外面が拭き取られることになる。その結果、拭取部材によって対物レンズに対し過大な外力を加えることなく、対物レンズの外面を清掃することが可能となる。
【０００７】
上記発明においては、前記拭取部材が、消毒液または洗浄液を含浸したスポンジからなることが好ましい。
このようにすることで、拭取部材を対物レンズに対して相対移動させる際に、スポンジに含浸されている消毒液または洗浄液が染み出して、効率よく対物レンズの外面を清掃することができる。
【０００８】
また、上記発明においては、前記拭取部材が、対物レンズの周方向に隣接して配置可能な複数の拭取片からなり、各拭取片を支持する支持部材と、該支持部材を揺動可能に連結するヒンジ部材とを備えることとしてもよい。
このように構成することで、ヒンジ部材の作動により、複数の拭取片が相互に離れる開位置と相互に近接する閉位置との間で、支持部材を揺動させることができる。したがって、支持部材を開位置に配置することで、対物レンズを取付片の間に挿入しやすくすることができ、閉位置に配置することで、複数の拭取片によって対物レンズの周囲を取り囲むことができる。そして、複数の拭取片によって対物レンズの周囲を取り囲んだ状態のまま、対物レンズに対して拭取部材を相対移動させることにより、簡易に対物レンズの外面を全周にわたって清掃することが可能となる。
【０００９】
また、上記発明においては、前記位置決め手段が、前記拭取片に設けられ、前記対物レンズの外形と略相補的であってかつ対物レンズの外径寸法より若干小さい内径寸法を有する凹部からなることとしてもよい。
【００１０】
このように構成することで、対物レンズを凹部に配置すると、凹部の内面が若干変形して対物レンズを収容することができる。このとき、凹部は対物レンズの外面全面にわたってほぼ均一な押圧力を付与するようになり、その押圧力がバランスした位置に位置決めされる。拭取片に消毒液等が含浸されている場合には、変形により染み出した消毒液等により対物レンズの外面が効率的に清掃されることになる。
【００１１】
また、上記発明においては、前記位置決め手段が、対物レンズまたは対物レンズを取り付けた顕微鏡本体に固定され、対物レンズの軸線を中心とするリング状のガイド部を備える固定部と、該固定部のガイド部に相対回転可能に嵌合される可動部とを備え、前記拭取部材が前記可動部に取り付けられていることとしてもよい。
【００１２】
対物レンズに対して固定された固定部のガイド部に可動部を嵌合させることにより、可動部に取り付けた拭取部材を対物レンズに対して位置決めできる。そして、ガイド部をガイドとして可動部を相対移動させることにより、拭取部材が、対物レンズに対して一定の位置関係を保ったまま相対移動させられる。したがって、対物レンズに過大な外力が加わることをより確実に防止でき、簡易に対物レンズの外面を清掃することができる。
【発明の効果】
【００１３】
本発明によれば、対物レンズの清掃を簡易に行うことができるとともに、搬送時、保管時あるいは取扱時等に対物レンズを保護することができるという効果を奏する。
【発明を実施するための最良の形態】
【００１４】
以下、本発明の第１の実施形態に係る対物レンズ清掃具について、図１〜図４を参照して説明する。
本実施形態に係る対物レンズ清掃具１は、例えば、顕微鏡本体（図示略）に取り付けられた状態の対物レンズ２（図２参照）の外面を清掃するものであって、図２に示されるように、対物レンズ２に接触させられる拭取部材３を備えている。
【００１５】
拭取部材３は、スポンジにより構成され、対物レンズ２のほぼ全体を収容可能な大きさの直方体ブロックを対物レンズ２の中心軸線を通る平面によって２つ割りにした形態を有する２つの拭取片３Ａ，３Ｂにより構成されている。
各拭取片３Ａ，３Ｂには、図１に示されるように、該拭取片３Ａ，３Ｂどうしの合わせ面に、該合わせ面を一致させたときに対物レンズ２の外形と略相補的な形状となる凹部４Ａ，４Ｂがそれぞれ設けられている。
【００１６】
拭取片３Ａ，３Ｂに形成された凹部４Ａ，４Ｂの寸法は、対物レンズ２の外形寸法よりも若干小さい寸法に形成されている。これにより、対物レンズ２を凹部４Ａ，４Ｂに沿わせて配置することにより、対物レンズ２によって拭取片３Ａ，３Ｂが若干圧縮されて凹部４Ａ，４Ｂが若干広がるように弾性変形させられ、その弾発力によって、対物レンズ２の外面に押し付けられるとともに、対物レンズ２に対して拭取片３Ａ，３Ｂが位置決め状態に配置されるようになっている。すなわち、凹部４Ａ，４Ｂによって位置決め手段４が構成されている。
【００１７】
拭取片３Ａ，３Ｂには、例えば、アルコール系のエタノール、アルデヒド系のグルタラール、フタラール、過酢酸、過酸化水素、二酸化塩素等の消毒液または洗浄液が含浸されている。
【００１８】
２つの拭取片３Ａ，３Ｂは、２つの支持部材５Ａ，５Ｂによりそれぞれ支持されている。支持部材５Ａ，５Ｂは、各拭取片３Ａ，３Ｂどうしの合わせ面と、対物レンズ２が貫通することとなる面を除く拭取片３Ａ，３Ｂの４面を覆う薄板部材により構成されている。
【００１９】
また、２つの支持部材５Ａ，５Ｂは、ヒンジ部材６によって相互に揺動可能に連結されている。これにより、２つの支持部材５Ａ，５Ｂは、ヒンジ部材６の作動によって、２つの拭取片３Ａ，３Ｂの合わせ面どうしが一致する位置（閉位置）まで近接させたときに、拭取部材３を覆う箱状に形成されるようになっている。
【００２０】
したがって、ヒンジ部材６によって支持部材５Ａ，５Ｂを相互に閉位置まで揺動させると、支持部材５Ａ，５Ｂどうしが閉じられて内部の拭取片３Ａ，３Ｂどうしが近接し、両拭取片３Ａ，３Ｂに設けられた凹部４Ａ，４Ｂが組み合わせられることにより、対物レンズ２の外形とほぼ相補的な形状の孔が形成されるようになっている。
また、２つの支持部材５Ａ，５Ｂは、ヒンジ部材６の作動によって相互に離れる位置（開位置）に配されたときに、内部の拭取片３Ａ，３Ｂを露出させて開かれた形態となるようになっている。
【００２１】
このように構成された本実施形態に係る対物レンズ清掃具１の作用について、以下に説明する。
本実施形態に係る対物レンズ清掃具１を用いて対物レンズ２の外面を清掃するには、図１に示されるように、ヒンジ部材６によって２つの支持部材５Ａ，５Ｂを相互に開位置まで揺動させることにより、支持部材５Ａ，５Ｂに支持された拭取片３Ａ，３Ｂを露出させる。そして、図２に示されるように、露出した拭取片３Ａ（または拭取片３Ｂ）の凹部４Ａ，４Ｂを顕微鏡本体に取り付けられた状態の対物レンズ２の側面に宛うように配置する。この状態で、ヒンジ部材６の作動により、２つの支持部材５Ａ，５Ｂを相互に閉位置まで揺動させる。これにより、図３に示されるように、対物レンズ２が、半径方向の両側から拭取片３Ａ，３Ｂによって挟まれる。
【００２２】
拭取片３Ａ，３Ｂの凹部４Ａ，４Ｂは、図４に示されるように、対物レンズ２の外形寸法より若干小さく形成されているので、拭取片３Ａ，３Ｂによって対物レンズ２を挟むように押圧すると、拭取片３Ａ，３Ｂが弾性変形させられて、その弾発力によって対物レンズ２の外面に押圧される。拭取片３Ａ，３Ｂはスポンジにより構成されて消毒液または洗浄液を含浸しているので、押圧されることにより、消毒液または洗浄液を染み出させる。
【００２３】
この状態で、対物レンズ２に対して対物レンズ清掃具１を、対物レンズ２の軸線回りに回転させるように相対移動させる。これにより、拭取片３Ａ，３Ｂが所定の押圧力で対物レンズ２の外面に押し付けられ、かつ、消毒液あるいは洗浄液が染み出した状態で対物レンズ２の外面に対して相対移動させられるので、対物レンズ２の外面に付着していた汚れが拭取片３Ａ，３Ｂによって拭き取られることになる。
【００２４】
この場合において、本実施形態に係る対物レンズ清掃具１によれば、対物レンズ２に対して相対回転させるだけで、対物レンズ２の外面全体を簡易に拭き取ることができるという利点がある。また、この場合に、拭取片３Ａ，３Ｂに設けた凹部４Ａ，４Ｂによって対物レンズ２と拭取片３Ａ，３Ｂとが一定の位置関係に維持されるので、対物レンズ２に対して過大な外力が作用することが回避され、図２のように、先端に細径先端部２ａを有する対物レンズ２であっても、細径先端部２ａが外力によって損傷することを防止できる。
【００２５】
なお、本実施形態においては、拭取片３Ａ，３Ｂを２つ割りに構成し、一方の拭取片３Ａ（または拭取片３Ｂ）の凹部４Ａ（または凹部４Ｂ）に対物レンズ２を沿わせるように配置した後に、２つの拭取片３Ａ，３Ｂによって対物レンズ２を挟むことにより、対物レンズ２の全周に拭取片３Ａ，３Ｂを配置したが、これに代えて、例えば、図５に示されるように、対物レンズ２を挿入可能な孔（位置決め手段）７を有する単一のスポンジからなる拭取部材３を採用してもよい。このようにすることで、拭取片３の孔７内に対物レンズ２を先端から挿入することにより、対物レンズ２の全周に拭取片３を接触させることができる。この場合に、支持部材５Ａ，５Ｂのヒンジ部材６は、支持部材５Ａ，５Ｂへの拭取片３の着脱時に支持部材５Ａ，５Ｂを開閉するために用いられる。また、このような単一の拭取片３とすることにより、例えば、図６に示されるように、予め消毒液あるいは洗浄液を染み込ませたものを袋８内に封入した使い捨て品として用意することも可能となる。
【００２６】
次に、本発明の第２の実施形態に係る対物レンズ清掃具１０について、図７〜図９を参照して以下に説明する。
本実施形態の説明において、上述した第１の実施形態に係る対物レンズ清掃具１と構成を共通とする箇所に同一符号を付して説明を省略する。
【００２７】
本実施形態に係る対物レンズ清掃具１０は、図７および図８に示されるように、顕微鏡本体から取り外された対物レンズ２に取り付けられる対物レンズプロテクタ１１と、該対物レンズプロテクタ１１をガイドとして対物レンズ２に対して相対的に移動させられる拭取部材１２を取り付けた嵌合部材１３とを備えている。
【００２８】
前記対物レンズプロテクタ１１は、図８に示されるように、リング状の取付部１４とリング状の座部１５とを３本の柱状部１６により連結して構成されている。取付部１４には、図７に示されるように、前記対物レンズ２の大径部２ｂを収容する中央孔１７と、対物レンズ２の大径部２ｂの先端側の端面２ｃを突き当てる段部１８と、周方向の一部を切り欠いて形成した切欠部１９と、半径方向に進退可能に設けられた押しネジ２０とを備えている。図中２１は、顕微鏡本体２４に取り付けるために対物レンズ２に設けられた取付ネジである。
【００２９】
前記取付部１４と座部１５との間隔寸法は、図７に示されるように、前記対物レンズ２の大径部２ｂの端面２ｃを段部１８に突き当てた状態で、対物レンズ２の細径先端部２ｂが取付部１４と座部１５との内側に配されるように設定されている。大径部２ｂの端面２ｃが段部１８に突き当てられた状態で、取付部１４に対物レンズ２が取り付けられると、対物レンズ２の中心は、対物レンズプロテクタ１１のほぼ中央位置に配置されるようになっている。
【００３０】
また、前記柱状部１６は、対物レンズプロテクタ１１のほぼ中央位置に配置される対物レンズ２に対して半径方向外方に十分に間隔をあけて配置されている。これにより、対物レンズプロテクタ１１を外部から手で把持する際に、中央位置に配置されている対物レンズ２５の外面に手が触れることのないように設定されている。
また、柱状部１６どうしの間には、外部から内部の対物レンズ２の状態を視認しあるいは洗浄するのに十分な隙間２２が設けられている。
【００３１】
前記切欠部１９は、図８に示されるように、対物レンズ２の長手方向の途中位置の直径寸法よりも広い幅寸法を有している。これにより、対物レンズ２に対して対物レンズプロテクタ１１を着脱する際に、対物レンズ２の細径先端部２ａ側から光軸方向に対物レンズプロテクタ１１を挿脱する必要がなく、図９に示されるように、対物レンズ２の長手方向の途中位置を切欠部１９に通過させて半径方向に挿脱することができるようになっている。
【００３２】
前記押しネジ２０は、大径部２ｂの端面２ｃが取付部１４の段部１８に突き当てられた状態で、絞め込んでいくことにより、その先端によって大径部２ｂの外周面を半径方向内方に押圧する。これにより、両者間の摩擦によって対物レンズ２と対物レンズプロテクタ１１とが周方向および軸方向に相対移動しないように相互に固定されるようになっている。
【００３３】
また、リング状の座部１５は、その内径側に前記嵌合部材１３を嵌合させる嵌合孔１５ａと、嵌合部材１３を軸方向に突き当てる突当面１５ｂとを備えている。
前記嵌合部材１３は、対物レンズプロテクタ１１の座部１５の嵌合孔１５ａに微小隙間をあけて嵌合される嵌合軸部１３ａと、前記突当面１５ｂに突き当てられる段部１３ｂと、該段部１３ｂが突当面１５ｂに突き当てられたときに、対物レンズ２の先端面に微小間隙をあけて対向配置される拭取軸部１３ｃとを備えている。
【００３４】
また、嵌合部材１３には、アルコール等の消毒液を含浸させたシルボン紙等の拭取部材１２が拭取軸部１３ｃに被せられ、該拭取軸部１３ｃに嵌合されるリング状の押さえ部材２３により、拭取軸部１３ｃの先端に保持されている。
これにより、嵌合部材１３が対物レンズプロテクタ１１の座部１５の嵌合孔１５ａに嵌合され、かつ、座部１５の突当面１５ｂに突き当てられると、拭取軸部１３ｃの先端に取り付けた拭取部材１２が、対物レンズ２の先端に接触させられるようになっている。
【００３５】
このように構成された本実施形態に係る対物レンズ清掃具１０の作用について、以下に説明する。
本実施形態に係る対物レンズ清掃具１０を用いて対物レンズ２を清掃するには、まず、取付部１４に設けられた押しネジ２０を半径方向外方に十分に待避させた状態で、取付部１４の中央孔１７に対物レンズ２の大径部２ｂを挿入し、対物レンズ２の大径部２ｂの端面２ｃを取付部１４の段部１８に突き当てる。この状態で、対物レンズ２は３本の柱状部１６のほぼ中央位置に位置決め状態に配置され、故意に柱状部１６間の隙間に指を刺し入れない限り、外部から対物レンズ２の外面に手で触れることが困難になる。
【００３６】
次いで、押しネジ２０を操作して、半径方向内方に絞め込んでいくと、押しネジ２０の先端が中央孔１７に収容されている対物レンズ２の大径部２ｂの外周面を半径方向内方に押圧する。これにより、押しネジ２０の先端部と大径部２ｂの外周面との間に発生する摩擦力によって、対物レンズ２が対物レンズプロテクタ１１内において周方向に回転したり、軸方向に脱落したりしないように固定される。
【００３７】
本実施形態に係る対物レンズプロテクタ１１は、対物レンズ２を固定することで、対物レンズ２の細径先端部２ａに外力が加わることを防止して、破損しないように保護することができる。したがって、対物レンズプロテクタ１１を取り付けた状態で搬送、保管あるいは組み付け等することで、搬送、保管あるいは組み付け中に対物レンズ２が外力から保護され、その健全性を維持することができる。
【００３８】
また、対物レンズ２が使用後の汚れた状態である場合には、対物レンズプロテクタ１１を取り付けることで、対物レンズ２に直接手を触れることなく対物レンズ２を取り扱うことが可能となる。したがって、対物レンズ２の汚れが手に付着することを防止できる。
【００３９】
例えば、顕微鏡本体２４に対物レンズ２を取り付けた状態で顕微鏡観察を行い、対物レンズ２の細径先端部２ａに標本（図示略）の体液や蛋白質等が付着した場合には、顕微鏡本体２４に取り付けられている状態の対物レンズ２に対物レンズプロテクタ１１を取り付ける。
この場合に、図９に示されるように対物レンズ２の長手方向の途中位置を取付部１４の切欠部１９に通過させることにより、対物レンズ２に対して対物レンズプロテクタ１１を半径方向に挿入することができる。したがって、顕微鏡本体２４に取り付けられた対物レンズ２の周囲に、対物レンズプロテクタ１１の全長よりも大きな十分な作業スペースが確保できない場合においても、対物レンズ２に対物レンズプロテクタ１１を取り付けることができる。
【００４０】
そして、押しネジ２０の作動により対物レンズ２が対物レンズプロテクタ１１に対して相対移動しないように係止されるので、作業者は、対物レンズプロテクタ１１を対物レンズ２の光軸回りに回転させることで、対物レンズ２を顕微鏡本体２４から容易に取り外すことができる。
この際に、作業者は、対物レンズプロテクタ１１を操作するので、対物レンズ２の表面に直接手で触れずに済み、対物レンズ２に付着している汚れが手に付着する不都合の発生を防止できる。また、対物レンズ２の大径部２ｂより大きな外径寸法を有する対物レンズプロテクタ１１を回転させるので、回転に必要な力が少なくて済み、取り外し作業を容易に行うことができる。
【００４１】
また、対物レンズ２が使用前の清浄な状態である場合には、対物レンズプロテクタ１１を取り付けることで、対物レンズ２に直接手を触れることなく対物レンズ２を取り扱うことができる。したがって、清浄な対物レンズ２に手の汚れが付着することを未然に防止できる。
【００４２】
例えば、対物レンズ２を洗浄、消毒あるいは滅菌した状態で顕微鏡本体２４に取り付ける際に、対物レンズプロテクタ１１を操作することによって、対物レンズ２に直接手を触れずに済む。したがって、滅菌等された対物レンズ２の外面が、手の汚れによって汚れることを防止でき、清浄な状態のままで、次の顕微鏡観察を行うことができる。また、顕微鏡本体２４への対物レンズ２の取付時においても、対物レンズ２の周囲における作業スペースが少なくて済む。
【００４３】
この状態で、対物レンズ２の先端部を清掃するには、嵌合部材１３の拭取軸部１３ｃに、消毒液等を染み込ませたシルボン紙等の拭取部材１２を被せ、その上から拭取軸部１３ｃに押さえ部材２３を嵌合させることにより拭取軸部１３ｃの先端に拭取部材１２が張られた状態に配置する。このように構成された嵌合部材１３の嵌合軸部１３ａを、対物レンズプロテクタ１１に設けられた座部１５の嵌合孔１５ａに嵌合させ、嵌合部材１３の段部１３ｂが座部１５の突当面１５ｂに突き当たるまで挿入することにより、拭取部材１２が対物レンズ２の先端に適正な押圧力をもって接触する。この状態で対物レンズプロテクタ１１に対して嵌合部材１３を対物レンズ２の軸線回りに回転させることにより、拭取部材１２を対物レンズ２に対して相対移動させ、対物レンズ２の先端を拭き取ることができる。
【００４４】
したがって、操作者は、対物レンズプロテクタ１１に対して嵌合部材１３を回転させるだけで、対物レンズ２の先端をきれいに清掃することができる。この場合に、嵌合部材１３の段部１３ｂを対物レンズプロテクタ１１の座部１５の突当面１５ｂに突き当てているので、操作者が嵌合部材１３を手で操作しても、対物レンズ２の先端面に過度の力を加えることがなく、対物レンズ２を保護することができる。
【００４５】
そして、清掃が終了した後には、嵌合部材１３を対物レンズプロテクタ１１から取り外し、押さえ部材２３を拭取軸部１３ｃから取り外すだけで、汚れの付着した拭取部材１２を取り外して交換できるようになる。したがって、拭取部材１２を使い捨てとして適時交換することにより、嵌合部材１３および押さえ部材２３を再利用して、複数の対物レンズ２を順次清掃することが可能となる。
【００４６】
なお、本実施形態においては、拭取部材１２として消毒液を含浸させたシルボン紙としたが、これに代えて、ガーゼや紙等の他の拭取部材を取り付けることにしてもよい。
また、対物レンズプロテクタ１１として対物レンズ２に固定するものを例示したが、これに代えて、対物レンズ２を固定した状態の顕微鏡本体２４に固定する構造のものを採用してもよい。
【００４７】
次に、本発明の第３の実施形態に係る対物レンズ清掃具３０について、図１０〜図１２を参照して以下に説明する。
本実施形態の説明において上述した第２の実施形態に係る対物レンズ清掃具１０と構成を共通とする箇所に同一符号を付して説明を省略する。
【００４８】
本実施形態に係る対物レンズ清掃具３０は、図１０に示されるように、嵌合部材３１において第２の実施形態に係る対物レンズ清掃具１０と相違している。
嵌合部材３１は、前記対物レンズプロテクタ１１の座部１５の嵌合孔１５ａに微小隙間をあけて嵌合される嵌合軸部３１ａと、前記突当面１５ｂに突き当てられる段部３１ｂとを備えるとともに、嵌合軸部３１ａが嵌合孔１５ａに嵌合されたときに対物レンズ２の細径先端部２ａに対向させられるスポンジからなる拭取部材３２を収容する収容部３１ｃを備えている。
【００４９】
収容部３１ｃは消毒液あるいは洗浄液を含浸させた拭取部材３２を収容し、含浸されている消毒液等がこぼれないように保持している。また、収容部３１ｃには収容した拭取部材３２の上面を露出させる開口部が備えられている。
そして、収容部３１ｃに拭取部材３２を収容した状態で、嵌合部材３１を対物レンズプロテクタ１１の嵌合孔１５ａに嵌合させて、嵌合部材３１の段部３１ｂが対物レンズプロテクタ１１の当接面１５ｂに当接するまで嵌合していくと、図１１に示されるように、収容部３１ｃに収容されている拭取部材３２に、対物レンズ２の細径先端部２ａが刺し込まれる。これにより、対物レンズ２の細径先端部２ａの先端は拭取部材３２内に挿入されるとともに、拭取部材３２から所定の接触圧力で押圧されるようになっている。
【００５０】
このように構成された本実施形態に係る対物レンズ清掃具３０によれば、対物レンズプロテクタ１１に対物レンズ２を取り付けた状態で、対物レンズプロテクタ１１の嵌合孔１５ａに嵌合部材３１の嵌合軸部３１ａを嵌合させ、そのまま嵌合を進行する。これにより、嵌合部材３１の収容部３１ｃに収容した拭取部材３２に細径先端部２ａを刺し入れることができる。そして、この状態で、対物レンズプロテクタ１１に対して嵌合部材３１を、対物レンズ２の軸線回りに相対回転させることにより、拭取部材３２によって対物レンズ２の細径先端部２ａ外面を全周にわたって容易に清掃することができる。
【００５１】
この場合において、嵌合軸部３１ａを嵌合孔１５ａに嵌合させた状態で、拭取部材３２に対物レンズ２の細径先端部２ａを刺し入れていくので、挿入時における拭取部材３２の対物レンズ２に対する相対移動が対物レンズ２の軸線方向に平行に案内される。したがって、挿入時に対物レンズ２に対して軸線方向に交差する方向に外力が作用することがない。
【００５２】
また、対物レンズ２外面を清掃するときには、嵌合軸部３１ａを嵌合孔１５ａに嵌合させたままで嵌合部材３１を対物レンズプロテクタ１１に対して相対回転させるので、相対回転中に嵌合部材３１と対物レンズ２の細径先端部２ａとの芯ずれが生ずることがなく、相対回転中も細径先端部２ａに軸線方向に交差する方向に外力が作用しない。したがって、対物レンズ２が外力による損傷を与えられることがない。
【００５３】
また、拭取部材３２が対物レンズ２の細径先端部２ａの外面に全周にわたって押圧されるので、対物レンズプロテクタ１１に対して嵌合部材３１を回転させるだけで、簡単に対物レンズ２の外面の汚れを拭き取り、清掃することができる。
【００５４】
なお、本実施形態においても、嵌合部材３１の収容部３１ｃに収容される拭取部材３２として、図１２に示されるように、消毒液または洗浄液を含浸させたスポンジを袋３３内に封入した使い捨て品として用意することとしてもよい。
【図面の簡単な説明】
【００５５】
【図１】本発明の第１の実施形態に係る対物レンズ清掃具を示す斜視図である。
【図２】図１の対物レンズ清掃具の対物レンズへの取付方の一例を示す斜視図である。
【図３】図１の対物レンズ清掃具を用いた対物レンズの清掃工程を示す斜視図である。
【図４】図１の対物レンズ清掃具を凹部側からみた正面図である。
【図５】図１の対物レンズ清掃具の変形例を示す斜視図である。
【図６】図５の対物レンズ清掃具に使用される拭取部材の一例を示す斜視図である。
【図７】本発明の第２の実施形態に係る対物レンズ清掃具を対物レンズに取り付けた状態を示す縦断面図である。
【図８】図７の対物レンズ清掃具を示す斜視図である。
【図９】図７の対物レンズ清掃具の対物レンズへの取り付け作業を説明する図である。
【図１０】本発明の第３の実施形態に係る対物レンズ清掃具を示す縦断面図である。
【図１１】図１０の対物レンズ清掃具を用いた対物レンズの清掃工程を示す縦断面図である。
【図１２】図９の対物レンズ清掃具に使用される拭取部材の一例を示す斜視図である。
【符号の説明】
【００５６】
１，１０，３０  対物レンズ清掃具
２  対物レンズ
３，１２，３２  拭取部材
３Ａ，３Ｂ  拭取片
４  位置決め手段
４Ａ，４Ｂ  凹部（位置決め手段）
５Ａ，５Ｂ  支持部材
６  ヒンジ部材
１３，３１  嵌合部材
１５  座部（ガイド部）
【図１】
2006297352.tif 000003
【図２】
2006297352.tif 000004
【図３】
2006297352.tif 000005
【図４】
2006297352.tif 000006
【図５】
2006297352.tif 000007
【図６】
2006297352.tif 000008
【図７】
2006297352.tif 000009
【図８】
2006297352.tif 000010
【図９】
2006297352.tif 000011
【図１０】
2006297352.tif 000012
【図１１】
2006297352.tif 000013
【図１２】
2006297352.tif 000014